(57)【要約】【課題】受話器を有し少なくとも一つの公衆回線を収容する電話機において、受話器を持ち上げてユーザが発呼ルートを自由に選択することができる電話機を実現する。【解決手段】Ｓ１でユーザが親機の受話器を持ち上げると、親機は公衆回線を捕捉せずにユーザによるキー入力を待ち、Ｓ２で公衆回線Ｌ１が選択された否か、Ｓ３で公衆回線Ｌ２が選択されたか否か、Ｓ４で内線が選択されたか否かを判定する。親機は、「１キー」あるいは「公衆回線Ｌ１選択用キー」が押下されると公衆回線Ｌ１が選択されたと判定してＳ５へ移行し、公衆回線Ｌ１への発呼を行う。「２キー」あるいは「公衆回線Ｌ２選択用キー」が押下されると公衆回線Ｌ２が選択されたと判定してＳ６へ移行し、公衆回線Ｌ２への発呼を行う。「内線呼び出し用キー」が押下されると内線が選択されたと判定してＳ７へ移行し、内線への発呼を行う。【選択図】図１
2007214606.tif 000002
【特許請求の範囲】
【請求項１】
受話器を有し少なくとも１つの公衆回線を収容する電話機において、
発呼時に上記受話器が持ち上げられると、上記公衆回線を捕捉せずに、ユーザに発呼ルートの選択を行わせることを特徴とする電話機。
【請求項２】
発呼時に上記受話器が持ち上げられると、上記発呼ルートの選択を促す表示を行うことを特徴とする請求項１に記載の電話機。
【請求項３】
上記発呼ルートは複数の上記公衆回線であることを特徴とする請求項１または２に記載の電話機。
【請求項４】
上記発呼ルートは上記公衆回線の他に内線を含んでいることを特徴とする請求項１または２に記載の電話機。
【請求項５】
上記公衆回線は複数あることを特徴とする請求項４に記載の電話機。
【請求項６】
請求項４または５に記載の電話機を親機とし、上記内線の端末を子機とすることを特徴とする電話システム。
【請求項７】
受話器を有し少なくとも１つの公衆回線を収容する電話機の発呼方法において、
発呼時に上記受話器が持ち上げられると上記電話機に上記公衆回線を捕捉させずに上記電話機を発呼ルートの選択が可能な状態とし、その後にユーザによる発呼ルートの選択が行われると、選択された上記発呼ルートで上記電話機に発呼を行わせることを特徴とする電話機の発呼方法。
【請求項８】
発呼時に上記受話器が持ち上げられると、上記発呼ルートの選択を促す表示を上記電話機に行わせることを特徴とする請求項７に記載の電話機の発呼方法。
【請求項９】
上記発呼ルートは複数の上記公衆回線であることを特徴とする請求項７または８に記載の電話機の発呼方法。
【請求項１０】
上記発呼ルートは上記公衆回線の他に内線を含んでいることを特徴とする請求項７または８に記載の電話機の発呼方法。
【請求項１１】
上記公衆回線は複数あることを特徴とする請求項１０に記載の電話機の発呼方法。
【請求項１２】
請求項７ないし１１のいずれかに記載の電話機の発呼方法を上記電話機に備えられたコンピュータに実行させるためのプログラム。
【請求項１３】
請求項１２に記載のプログラムを記録したコンピュータ読み取り可能な記録媒体。
【発明の詳細な説明】
【技術分野】
【０００１】
本発明は受話器を有し少なくとも１つの公衆回線を収容する電話機に関するものである。
【背景技術】
【０００２】
受話器を有し、複数の公衆回線に接続される電話機が存在する。そして例えば、この電話機を親機として用いてコードレス方式で複数の子機と通信するシステムを構成し、外線からの着信があると親機から所定の内線番号の子機への転送が行われる。この電話システムから外線への発呼を行う場合、親機に接続されている複数の公衆回線のうちの一つを使用することになる。
【０００３】
特許文献１には、交換機能を有する主装置に内線電話機、固定機、および移動機が接続される電話交換システムが記載されている。固定機と移動機とはコードレス電話システムを構成するが、移動機から外線への発呼を行う場合、移動機に設けられた回線切替キーにより複数の外線のいずれを用いるかを選択することができるようになっている。
【０００４】
特許文献２には、携帯無線端末装置、無線基地局、回線交換局、およびデータ処理装置を含む通信システムが記載されている。この通信システムでは、携帯無線端末装置が１回線目の回線接続要求により無線基地局と回線交換局を経由して他の携帯無線端末装置と通話を行っているときに、オフフックキーと、通話中の回線選択時に使用する“マルチコールキー”とにより、データ処理装置とのデータ通信を行う回線である２回線目を選択することができるようになっている。
【０００５】
特許文献３には、多回線デジタルコードレス電話システムにおいて、システム内部に備えられたＷｅｂサーバからのデータを無線子機に送信して無線子機に回線状態を表示させ、使用する回線の選択操作を可能とする構成が開示されている。
【０００６】
特許文献４には、ＶｏＩＰ（Voice over Internet Protocol）電話システムにおいて、ゲートキーパーがマルチライン対応の電話端末に複数の回線のそれぞれについての使用状況を伝送し、該電話端末で使用する回線を選択できるようにする方式が記載されている。
【特許文献１】特開平５−１９１５０３号公報（公開日：１９９３年７月３０日）
【特許文献２】特開２００２−６４６１３号公報（公開日：２００２年２月２８日）
【特許文献３】特開２００２−３１５０２８号公報（公開日：２００２年１０月２５日）
【特許文献４】特開２００３−３２３７９号公報（公開日：２００３年１月３１日）
【発明の開示】
【発明が解決しようとする課題】
【０００７】
ところが、受話器を有し複数の公衆回線を収容する電話機、例えばＦＡＸ機能を備えたコードレス電話システムにおいて複数の公衆回線を収容する親機は、発呼時に受話器を持ち上げるとその操作に応答して所定の公衆回線をまず捕捉してしまう。親機が公衆回線Ｌ１と公衆回線Ｌ２とに接続可能な構成で、受話器を持ち上げると公衆回線Ｌ１が捕捉されるようになっているとすると、公衆回線Ｌ２を使用して外線に発呼を行うときは、一旦捕捉した公衆回線Ｌ１の切断を行わねばならない。電話システムが親機と子機との組合せからなる内線を有している場合は、親機から内線への発呼を行うときに、受話器を持ち上げると公衆回線Ｌ１が捕捉されてしまうため、やはり公衆回線Ｌ１を切断してから内線への発呼を行う必要がある。従来、公衆回線Ｌ１の捕捉を行わずに内線への発呼を行うには、受話器を受話器台に置いたままスピーカホン機能を用いるなどしていた。
【０００８】
このように、受話器を有し複数の公衆回線を収容する従来の電話機には、発呼時に受話器を持ち上げた際、使用したい発呼ルートに関わらず最初に所定の公衆回線が捕捉されてしまい、ユーザが発呼ルートを自由に選択することができないという問題があった。また、一般に、発呼を行うときには受話器を持ち上げるのがユーザにとって自然な操作であるため、親機から内線への発呼を行うにも、受話器を持ち上げる方法で内線を自由に選択できる方が好ましい。従って、受話器を有し一つの公衆回線を収容する電話機が内線とつながっている場合でも、発呼時に受話器を持ち上げた際に公衆回線が捕捉されてしまい、発呼ルートとして公衆回線と内線とをそれぞれ自由に選択することができないことは問題である。
【０００９】
本発明は、上記従来の問題点に鑑みなされたものであり、その目的は、受話器を有し少なくとも一つの公衆回線を収容する電話機において、受話器を持ち上げてユーザが発呼ルートを自由に選択することができる電話機、電話システム、および電話機の発呼方法ならびにそのプログラム、記録媒体を実現することにある。
【課題を解決するための手段】
【００１０】
本発明の電話機は、上記課題を解決するために、受話器を有し少なくとも１つの公衆回線を収容する電話機において、発呼時に上記受話器が持ち上げられると、上記公衆回線を捕捉せずに、ユーザに発呼ルートの選択を行わせることを特徴としている。
【００１１】
上記の発明によれば、発呼のために受話器を持ち上げても、公衆回線が一旦捕捉されることなく、発呼ルートを自由に選択することができるという効果を奏する。
【００１２】
本発明の電話機は、上記課題を解決するために、発呼時に上記受話器が持ち上げられると、上記発呼ルートの選択を促す表示を行うことを特徴としている。
【００１３】
上記の発明によれば、受話器を持ち上げたときに、発呼ルートの選択を促す表示によって、ユーザが発呼ルートを選択すべきことを容易に認識することができるという効果を奏する。
【００１４】
本発明の電話機は、上記課題を解決するために、上記発呼ルートは複数の上記公衆回線であることを特徴としている。
【００１５】
上記の発明によれば、発呼時に、複数の公衆回線のうちから所望の回線を選択することができるという効果を奏する。
【００１６】
本発明の電話機は、上記課題を解決するために、上記発呼ルートは上記公衆回線の他に内線を含んでいることを特徴としている。
【００１７】
上記の発明によれば、発呼時に、公衆回線と内線とを合わせた中から、所望の発呼ルートを選択することができるという効果を奏する。
【００１８】
本発明の電話機は、上記課題を解決するために、上記公衆回線は複数あることを特徴としている。
【００１９】
上記の発明によれば、複数の公衆回線と内線とを合わせた中から、所望の発呼ルートを選択することができるという効果を奏する。
【００２０】
本発明の電話システムは、上記課題を解決するために、上記電話機を親機とし、上記内線の端末を子機とすることを特徴としている。
【００２１】
上記の発明によれば、親機は、発呼時に公衆回線が一旦捕捉されることなく、公衆回線と内線とを合わせた中から、発呼ルートを自由に選択することができるという効果を奏する。
【００２２】
本発明の電話機の発呼方法は、上記課題を解決するために、受話器を有し少なくとも１つの公衆回線を収容する電話機の発呼方法において、発呼時に上記受話器が持ち上げられると上記電話機に上記公衆回線を捕捉させずに上記電話機を発呼ルートの選択が可能な状態とし、その後にユーザによる発呼ルートの選択が行われると、選択された上記発呼ルートで上記電話機に発呼を行わせることを特徴としている。
【００２３】
上記の発明によれば、発呼のために受話器を持ち上げても、公衆回線が一旦捕捉されることなく、発呼ルートを自由に選択して発呼を行うことができるという効果を奏する。
【００２４】
本発明の電話機の発呼方法は、上記課題を解決するために、発呼時に上記受話器が持ち上げられると、上記発呼ルートの選択を促す表示を上記電話機に行わせることを特徴としている。
【００２５】
上記の発明によれば、受話器を持ち上げたときに、発呼ルートの選択を促す表示によって、ユーザが発呼ルートを選択すべきことを容易に認識することができるという効果を奏する。
【００２６】
本発明の電話機の発呼方法は、上記課題を解決するために、上記発呼ルートは複数の上記公衆回線であることを特徴としている。
【００２７】
上記の発明によれば、発呼時に、複数の公衆回線のうちから所望の回線を選択することができるという効果を奏する。
【００２８】
本発明の電話機の発呼方法は、上記課題を解決するために、上記発呼ルートは上記公衆回線の他に内線を含んでいることを特徴としている。
【００２９】
上記の発明によれば、発呼時に、公衆回線と内線とを合わせた中から、所望の発呼ルートを選択することができるという効果を奏する。
【００３０】
本発明の電話機の発呼方法は、上記課題を解決するために、上記公衆回線は複数あることを特徴としている。
【００３１】
上記の発明によれば、複数の公衆回線と内線とを合わせた中から、所望の発呼ルートを選択することができるという効果を奏する。
【００３２】
本発明のプログラムは、上記課題を解決するために、上記電話機の発呼方法を上記電話機に備えられたコンピュータに実行させるためのプログラムである。
【００３３】
上記の発明によれば、上記電話機の発呼方法を汎用性のあるものとすることができるという効果を奏する。
【００３４】
本発明の記録媒体は、上記課題を解決するために、上記プログラムを記録したコンピュータ読み取り可能な記録媒体である。
【００３５】
上記の発明によれば、上記プログラムを容易に提供することができるという効果を奏する。
【発明の効果】
【００３６】
以上のように、本発明の電話機、および電話機の発呼方法によれば、発呼のために受話器を持ち上げても、公衆回線が一旦捕捉されることなく、発呼ルートを自由に選択することができるという効果を奏する。
【発明を実施するための最良の形態】
【００３７】
本発明の実施の形態について、図１ないし図４を用いて説明すれば以下の通りである。
【００３８】
図２に本実施の形態に係る電話システム１の構成を示す。
【００３９】
電話システム１はデジタルコードレス電話システムであり、親機ＢＡＳＥと、内線の端末としての複数の子機ＨＳ１・ＨＳ２・ＨＳ３・…・ＨＳＮ（任意の１つを表すときはＨＳｋと称する）とを備えている。親機ＢＡＳＥはＦＡＸ装置としても機能し、Ｍ個の公衆回線Ｌ１・Ｌ２・…・ＬＭを収容している。親機ＢＡＳＥは通信の管理装置としてこれら公衆回線Ｌ１・Ｌ２・…・ＬＭの制御を行うとともに、ＲＦ通信によって子機ＨＳ１・ＨＳ２・ＨＳ３・…・ＨＳＮによるデータの授受や通話を制御する。なお、親機ＢＡＳＥに収容される公衆回線数は一般に少なくとも一つあればよい。また、子機ＨＳｋの数が任意であってよいことはもちろんである。
【００４０】
次に、図３に、上記電話システム１における親機ＢＡＳＥおよび子機ＨＳｋの各構成を示す。
【００４１】
まず、親機ＢＡＳＥの構成について説明する。
【００４２】
親機（電話機）ＢＡＳＥは、電話回路１１、受話器１２、フックスイッチ１３、表示装置１４、キー入力装置１５、無線回路１６、アンテナ１７、およびジャックＪ１・Ｊ２・…・ＪＭを備えている。
【００４３】
電話回路１１は、電話システム１全体の制御を行い、親機ＢＡＳＥによる外線および内線からの被呼、外線および内線への発呼、子機ＨＳｋへの外線の転送、およびＦＡＸ送受信の制御や、これらの動作に伴うユーザインタフェース機能の提供などを行う。公衆回線Ｌ１・Ｌ２・…・ＬＭは、それぞれジャックＪ１・Ｊ２・…・ＪＭを介して電話回路１１に接続されている。受話器１２は電話回路１１に接続される有線のハンドセットであり、受話器台に載置されているときはフックスイッチ１３を押して親機ＢＡＳＥをオンフック状態とし、電話台から持ち上げられるとフックスイッチ１３の押下を解除して親機ＢＡＳＥをオフフック状態とする。フックスイッチ１３はこれらオンフック状態およびオフフック状態を電話回路１１に伝達するようになっている。
【００４４】
表示装置１４は液晶表示装置で構成され、通話、ＦＡＸ通信、およびデータ通信の状況を示したり、ユーザに各種操作を促したりするための各種文字情報を表示する。キー入力装置１５はユーザからの電話番号やその他のキー入力を受け付ける装置である。
【００４５】
無線回路１６は、子機ＨＳｋを用いて通話やデータ通信を行うときに子機ＨＳｋとの間で送受信される信号の処理回路であり、信号の符号化・復号化や変調・復調などを行う。アンテナ１７は、無線回路１６により処理される信号を子機ＨＳｋのアンテナ２６（後述）との間で送受信するためのものである。
【００４６】
次に、子機ＨＳｋの構成について説明する。
【００４７】
子機ＨＳｋは、電話回路２１、送受話装置２２、表示装置２３、キー入力装置２４、無線回路２５、およびアンテナ２６を備えている。
【００４８】
電話回路２１は子機ＨＳｋによる被呼および発呼の制御や、これらの動作に伴うユーザインタフェース機能の提供などを行う。送受話装置２２は通話のためのスピーカ装置やマイクロホン装置からなる装置である。
【００４９】
表示装置２３は液晶表示装置で構成され、通話およびデータ通信の状況を示したり、ユーザに各種操作を促したりするための各種文字情報を表示する。キー入力装置２４はユーザからの電話番号やその他のキー入力を受け付ける装置である。
【００５０】
無線回路２５は、通話やデータ通信を行うときに親機ＢＡＳＥとの間で送受信される信号の処理回路であり、信号の符号化・復号化や変調・復調などを行う。アンテナ２６は、無線回路１６により処理される信号を親機ＢＡＳＥのアンテナ１７との間で送受信するためのものである。
【００５１】
上記構成の電話システム１では、親機ＢＡＳＥから発呼を行うとき、ユーザが受話器１２を持ち上げることによりフックスイッチ１３への押下が解除されてオフフック状態となっても、電話回路１１が公衆回線Ｌ１・Ｌ２・…・ＬＭのいずれも捕捉しないようになっている。そして、電話回路１１は、図４に示すように、いずれの公衆回線を使用するか、あるいは内線への発呼を行うかという発呼ルートの選択を表示装置１４に表示する。図４では親機ＢＡＳＥの収容する公衆回線がＬ１とＬ２との２つである場合の表示画面例を示しており、公衆回線Ｌ１への発呼（ＰＲＥＳＳ  １）、公衆回線Ｌ２への発呼（ＰＲＥＳＳ  ２）、内線への発呼（ＩＮＴＥＲＣＯＭ）の３通りの選択肢を表示している。そして、ユーザはキー入力装置１５から選択する発呼ルートに対応したキーを押下する。公衆回線Ｌ１を選択するのであれば例えば「１キー」あるいは「公衆回線Ｌ１選択用キー」を押下し、公衆回線Ｌ２を選択するのであれば例えば「２キー」あるいは「公衆回線Ｌ２選択用キー」を押下し、内線を選択するのであれば「内線呼び出し用キー」を押下する。
【００５２】
このような発呼方法を実現するために、親機ＢＡＳＥはコンピュータの構成を備えており、内部の記憶装置に記録されたプログラムで発呼時の制御を行っている。
【００５３】
この発呼方法の手順を図１のフローチャートを用いながら説明する。公衆回線はＬ１とＬ２との２つであるとする。
【００５４】
Ｓ１でユーザが受話器１２を持ち上げる。Ｓ２で公衆回線Ｌ１が選択された否かが判定され、「１キー」あるいは「公衆回線Ｌ１選択用キー」が押下されると電話回路１１は公衆回線Ｌ１が選択されたと判定してＳ５へ移行し、電話回路１１は公衆回線Ｌ１への発呼を行う。ここで初めて回線捕捉となる公衆回線Ｌ１の捕捉を行う。Ｓ２で公衆回線Ｌ１が選択されなかったと判定すると、Ｓ３で公衆回線Ｌ２が選択されたか否かが判定される。「２キー」あるいは「公衆回線Ｌ２選択用キー」が押下されると電話回路１１は公衆回線Ｌ２が選択されたと判定してＳ６へ移行し、電話回路１１は公衆回線Ｌ２への発呼を行う。ここで初めて回線捕捉となる公衆回線Ｌ２の捕捉を行う。Ｓ３で公衆回線Ｌ２が選択されなかったと判定すると、Ｓ４で内線が選択されたか否かが判定される。「内線呼び出し用キー」が押下されると電話回路１１は内線が選択されたと判定してＳ７へ移行し、電話回路１１は内線への発呼を行う。一度も公衆回線を捕捉することなくここで内線の捕捉を行う。Ｓ４で内線が選択されなかったと判定すると、Ｓ２へ戻る。
【００５５】
以上のように、本実施の形態に係る電話システム１、親機ＢＡＳＥ、親機ＢＡＳＥの発呼方法によれば、発呼時に受話器１２が持ち上げられると、公衆回線を捕捉せずに、ユーザに発呼ルートの選択を行わせるので、発呼のために受話器１２を持ち上げても、公衆回線が一旦捕捉されることなく、発呼ルートを自由に選択することができる。
【００５６】
また、親機ＢＡＳＥは、発呼時に受話器１２が持ち上げられると、発呼ルートの選択を促す表示を行うので、ユーザは発呼ルートを選択すべきことを容易に認識することができる。
【００５７】
なお、前述の例では発呼ルートとして公衆回線Ｌ１・Ｌ２・…・ＬＭの他に内線が含まれていたが、これに限らず、内線がなく、複数の公衆回線のみが発呼ルートとなっている場合にも本発明を適用することができる。この場合、発呼時に、複数の公衆回線のうちから所望の回線を選択することができる。
【００５８】
本実施の形態では、発呼ルートは公衆回線Ｌ１・Ｌ２・…・ＬＭの他に内線を含んでいるので、発呼時に、公衆回線（外線）と内線とを合わせた中から、所望の発呼ルートを選択することができる。特に、前述の例では公衆回線が複数あるので、複数の公衆回線（外線）Ｌ１・Ｌ２・…・ＬＭと内線とを合わせた中から、所望の発呼ルートを選択することができる。なお、発呼ルートは一つの公衆回線と内線とであってもよい。
【００５９】
また、前述したように、親機ＢＡＳＥの発呼方法は、親機ＢＡＳＥに備えられたコンピュータが図１の各ステップに対応するプロセスを含むプログラムを実行することによって実現できる。これにより、親機ＢＡＳＥの発呼方法を汎用性のあるものとすることができる。
【００６０】
上記プログラムは、コンピュータで読み取り可能な記録媒体に格納してユーザに提供することができる。これにより、上記プログラムを容易に提供することができる。この記録媒体は、親機ＢＡＳＥのコンピュータ本体に内蔵された記憶装置などの内蔵メディアであってもよいし、コンピュータ本体に対して分離可能に構成されたリムーバブル・メディアであってもよい。上記内蔵メディアとしては、ＲＯＭ；フラッシュメモリ等の書き換え可能な不揮発性メモリ；ハードディスク等が挙げられる。また、上記リムーバブル・メディアとしては、ＣＤ−ＲＯＭ、ＤＶＤ等の光記録媒体；ＭＯ等の光磁気記録媒体；フロッピー（登録商標）ディスク、カセットテープ、リムーバブル・ハードディスク等の磁気記録媒体；メモリカード等のような書き換え可能な不揮発性メモリを内蔵したメディア；ＲＯＭカセット等のようなＲＯＭを内蔵したメディア等が挙げられる。
【００６１】
上記プログラムは、ＣＰＵのアクセスにより実行される構成であってもよいし、記録媒体に格納されているプログラムを読み出し、読み出したプログラムを内蔵メディアのプログラム記憶領域に転送した後、内蔵メディア上のプログラムがＣＰＵのアクセスにより実行される構成であってもよい。また、上記プログラムは、コンピュータで読み取り可能な記録媒体に格納された状態で販売されるものに限定されるものではなく、インターネット等の通信ネットワークを介してユーザのコンピュータに転送する形式で販売されるものであってもよい。
【００６２】
以上では、親機ＢＡＳＥに接続される回線が公衆電話交換網(ＰＳＴＮ:Public Switched Telephone Network)である場合について述べた。この他、ＶｏＩＰ回線に接続される場合にも、本発明を適用することができる。
【産業上の利用可能性】
【００６３】
本発明は、特にコードレス電話機など親機と子機とで構成される装置に用いると好適である。
【図面の簡単な説明】
【００６４】
【図１】本発明の実施形態を示すものであり、電話機の発呼方法を示すフローチャートである。
【図２】本発明の実施形態を示すものであり、電話システムの構成を示すシステム図である。
【図３】図２に示す電話システムの親機および子機の構成を示すブロック図である。
【図４】親機に備えられた表示装置の発呼時における表示画面例を示す図である。
【符号の説明】
【００６５】
１            電話システム
１４          表示装置
ＢＡＳＥ      親機（電話機）
ＨＳｋ        子機
Ｌ１、Ｌ２、…、ＬＭ
公衆回線
【図１】
2007214606.tif 000003
【図２】
2007214606.tif 000004
【図３】
2007214606.tif 000005
【図４】
2007214606.tif 000006